(57)【要約】      （修正有）【課題】レリースワイヤの操作部を支持する支持部の取付位置調整をする必要のない排水栓装置を提供する。【解決手段】オーバーフロー管上端部のエルボ５と、フランジ６１を備えた筒体６２でなるボタンフランジ６が前記エルボ５に挿込まれてネジ止めされることによって、そのフランジ６１とで水槽壁７が挟持締着されて、そのボタンフランジ６の筒体奥端部にはレリースワイヤ２の操作部２１を支持する支持部８が一体形成で設けられている排水栓装置である。【選択図】図１
2011174346.tif 000002
【特許請求の範囲】
【請求項１】
オーバーフロー管内に遠隔操作するレリースワイヤを配設し、オーバーフロー口に操作釦を設けた排水栓装置において、オーバーフロー管上端部のエルボと、フランジを備えた筒体でなるボタンフランジが前記エルボに挿込まれてネジ止めされることによってそのフランジとで水槽壁が挟持締着され、そのボタンフランジの筒体奥端部にはレリースワイヤの操作部を支持する支持部が一体形成で設けられて、ボタンフランジの筒体に摺動可能に装着された操作釦によるレリースワイヤの操作部を介しての遠隔操作がされ、排水栓の開閉がされることを特徴とする排水栓装置。
【請求項２】
支持部が、レリースワイヤの操作部を装着する筒形状体であり、支持部または操作部には、支持部へ操作部が軸方向に装填され、その押込みの動きを規制する手段部と、抜け方向への動きを規制する手段部が設けられることを特徴とする請求項１記載の排水栓装置。
【請求項３】
支持部が、相対する２片の弾性挟持片でなり、支持部または操作部には操作部の軸方向の動きを規制する手段部が設けられていることを特徴とする請求項１乃至２のいずれか１項に記載の排水栓装置。
【発明の詳細な説明】
【技術分野】
【０００１】  本発明は、排水栓の開閉を遠隔操作するレリースワイヤがオーバーフロー管内に配設され、オーバーフロー口に操作釦を設けた排水栓装置に関するものである。
【背景技術】
【０００２】  従来、レリースワイヤが配設されたオーバーフロー管を水槽壁に取付けるにあたって、その取付箇所が狭隘なところであるために、オーバーフロー管上端部に操作継手を設け、該操作継手が水槽壁に取付けられていた。
そして、レリースワイヤの操作部の支持部が操作継手内に配設され、移動可能にされている（特許文献１）。【０００３】  また、オーバーフロー口と、これに押し引き摺動させて排水栓の開閉操作をする操作釦とが、横広幅形状になり、この形態のレリースワイヤが配設されたオーバーフロー管の取付を得るために、水槽壁がオーバーフロー管上端部のエルボとボタンフランジとで挟持され、ネジ止めすることによって取付けられる。そして、レリースワイヤの操作部を支持する支持部が、エルボに一体形成されている（特許文献２）。
【先行技術文献】
【特許文献】
【０００４】
【特許文献１】  特開２００４−１８３２２５
【特許文献２】  特開２００８−２２３４５４
【発明の概要】
【発明が解決しようとする課題】
【０００５】  レリースワイヤの操作部の支持部をオーバーフロー管上端部の操作継手又はエルボ内に取付形成し、該操作継手又はエルボが水槽壁へ取付けられた排水栓装置は、陶器等の厚さが一様でない水槽壁に操作継手又はエルボを取付けるに当って、操作釦を基準としての操作部の位置を決めなければならず、なかんずく、レリースワイヤの操作部を支持する支持部の位置が決められなければならない。
そこで、支持部を移動可能に配設した操作継手は、ボタンフランジ進入端を位置決め部として、該進入端と突き当るように支持部が操作継手内に移動されて位置調整されている。また、支持部を一体形成されたエルボにレリースワイヤの操作部を操作釦との位置調整した支持部への支持がされている。結局は、支持部に支持されるレリースワイヤの操作部の位置決めが余儀無くされ、この位置決めに手間暇がかかることは否めない。【０００６】  そこで、本発明は、レリースワイヤを配設したオーバーフロー管上端部のエルボを陶器等の厚さが一様でない水槽壁へ取付けることにしても、レリースワイヤの操作部が支持される支持部をボタンフランジに設けることによって、支持部の取付位置調整をする必要がない排水栓装置を得ることにある。
【課題を解決するための手段】
【０００７】  本発明のオーバーフロー管内に遠隔操作するレリースワイヤを配設し、オーバーフロー口に操作釦を設けた排水栓装置は、オーバーフロー管上端部のエルボと、フランジを備えた筒体でなるボタンフランジが前記エルボに挿込まれてネジ止めされることによって、そのフランジとで水槽壁が挟持締着され、そのボタンフランジの筒体奥端部には、レリースワイヤの操作部を支持する支持部が一体形成で設けられて、ボタンフランジの筒体に摺動可能に装着された操作釦によるレリースワイヤの操作部を介しての遠隔操作がされ、排水栓の開閉をするものである。【０００８】  本発明の排水栓装置は、支持部が、レリースワイヤの操作部を装着する筒形状体であり、支持部または操作部には、支持部へ操作部が軸方向に装填され、その押込みの動きを規制する手段部と、抜け方向への動きを規制する手段部が設けられているものである。【０００９】  本発明の排水栓装置は、支持部が、相対する２片の弾性挟持片でなり、弾性挟持片または操作部には操作部の軸方向の動きを規制する手段部が設けられているものである。
【発明の効果】
【００１０】  本発明のオーバーフロー管内に遠隔操作するレリースワイヤを配設し、オーバーフロー口に操作釦を設けた排水栓装置は、オーバーフロー管上端部のエルボと、フランジを備えた筒体でなるボタンフランジが前記エルボに挿込まれてその内部でネジ止めされることによって、そのフランジとで水槽壁が挟持締着されるので、オーバーフロー口やそれに押し引き摺動される操作釦が横広幅形状であっても、そのネジ止めを顕出させることなく、正確且つ堅固に水槽壁へ取付けることができ、しかも簡単且つ容易にできる。
そして、そのボタンフランジの筒体奥端部には、レリースワイヤの操作部を支持する支持部が一体形成で設けられることによって、操作釦に対するレリースワイヤの操作部の位置が確実且つ正確に設定することができ、施工時に、操作釦と操作部との位置調整をする必要がなく、作業が簡単且つ容易に出来ることになる。【００１１】  本発明のレリースワイヤ操作部を支持する支持部が、操作部を装着する筒形状体であり、支持部または操作部には、操作部が軸方向に装填されるにあたっての押込みの動きを規制する手段部である鍔部、及び抜け方向への動きを規制する手段部であるスナップフィット部が設けられることによって、操作部の挿込み装填支持が簡単且つ容易にできることになる。【００１２】  本発明の支持部が、相対する２片の弾性挟持片でなり、弾性挟持片または操作部には操作部の軸方向の動きを規制する手段部である鍔部またはスナップフィット部が設けられることによって、押込み装填支持が一層簡単且つ容易にできることになる。
【図面の簡単な説明】
【００１３】
【図１】  オーバーフロー管にレリースワイヤを配設した排水栓装置のオーバーフロー口構成断面図である。
【図２】  オーバーフロー管上端部のエルボの断面図である。
【図３】  オーバーフロー管上端部のエルボの前面図である。
【図４】  レリースワイヤ操作部の軸方向挿込み装填支持の支持部を形成したボタンフランジの断面図である。
【図５】  レリースワイヤ操作部の軸方向挿込み装填支持の支持部を形成したボタンフランジの前面図である。
【図６】  レリースワイヤ操作部の軸方向挿込み装填支持の支持部を形成したボタンフランジの上面図である。
【図７】  レリースワイヤ操作部を軸方向挿込み装填支持する過程の状態図である。
【図８】  レリースワイヤ操作部の押込み装填支持の支持部を形成したボタンフランジの断面図である。
【図９】  レリースワイヤ操作部の押込み装填支持の支持部を形成したボタンフランジの前面図である。
【図１０】  レリースワイヤ操作部の押込み装填支持の支持部を形成したボタンフランジの上面図である。
【図１１】  レリースワイヤ操作部を側面押込み装填支持する過程の状態図である。
【発明を実施するための形態】
【００１４】  本発明の排水栓装置は、図１、図２及び図３に示す如く、オーバーフロー管１内に遠隔操作するレリースワイヤ２を配設し、オーバーフロー口３に操作釦４を設けたものであって、オーバーフロー口３がオーバーフロー管上端部のエルボ５と、フランジ６１を備えた筒体６２でなるボタンフランジ６とでなり、該ボタンフランジを前記エルボ５に挿込み、その挿込まれた内部でエルボのネジ座部５１にボタンフランジの内フランジ６３がネジ止めされることによって、水槽壁７が前記ボタンフランジ６のフランジ６１とパッキン９を介在した前記エルボ５とで挟持締着される。
ボタンフランジ６の筒体奥端部には、レリースワイヤの操作部２１を支持する支持部８が一体形成で設けられている。
【実施例１】
【００１５】  ボタンフランジ６は、図４、図５及び図６で示す如く、フランジ６１を備えた筒体６２と、該筒体奥端部に一体形成で設けられた支持部８とで構成され、また筒体６２内には、エルボ５のネジ座部５１にネジ止めされてボタンフランジのフランジ６１とエルボ５とで水槽壁７を挟持締着する内フランジ６３が形成されている。
支持部８は、レリースワイヤの操作部２１が装着される筒形状体８０であり、該筒形状体へレリースワイヤの操作部２１が軸方向の装填される際に、その装填の押込みの動きを規制する手段部である鍔部２２が操作部２１に形成され、抜け方向への動きを規制する手段部であるスナップフィット部８２が筒形状体８０及びレリースワイヤの操作部２１に形成されている。
尚、支持部８の筒形状体８０には、操作部２１の軸方向装填の際に、操作部２１に継がるレリースワイヤ２を通り抜けさせる切欠部８０１が形成されている。【００１６】  図７に示す如く、オーバーフロー管上端部のエルボ５と、フランジ６１を備えた筒体６２でなるボタンフランジ６が前記エルボに挿込まれてネジ止めされることによって、そのフランジ６１とで水槽壁７を挟持締着している。
そこで、ボタンフランジ６の筒体６２奥端部には支持部８が一体形成で設けられているので、オーバーフロー管１内に配設されているレリースワイヤ２の操作部２１を、前記支持部８の筒形状体８０へ軸方向の装填がされることによって装着する。操作部２１の軸方向装填に際して、操作部２１に継がるレリースワイヤ２が支持部の筒形状体８０に形成された切欠部８０１を通り抜けるため支障なくでき、操作部２１に形成された鍔部２２が押込みの動きを規制し、筒形状体８０及び操作部２１に形成されたスナップフィット部８２によって抜け方向への動きを規制することになる。
【実施例２】
【００１７】  ボタンフランジ６０は、図８、図９及び図１０に示す如く、フランジ６１を備えた筒体６２と、該筒体奥端部に一体形成で設けられた支持部８とで構成され、また筒体６２内にはボタンフランジ６０のフランジ６１とエルボ５とで水槽壁７を挟持締着するネジ止めがされる内フランジ６３を形成している。
支持部８は、相対する２片の弾性挟持片８１でなり、レリースワイヤの操作部２１が相対する２片の弾性挟持片８１間に押込み装填された際に、軸方向の動きを規制する手段部である鍔部２２が操作部２１に形成され、または、弾性挟持片８１にスナップフィット部８２が形成されている。【００１８】  図１１に示す如く、エルボ５と、ボタンフランジ６０が前記エルボに挿込まれてネジ止めされることによって、そのフランジ６１とで水槽壁７を挟持締着している。
そこで、ボタンフランジ６０の筒体６２奥端部には、支持部８が一体形成で設けられ、該支持部が相対する２片の弾性挟持片８１でなっているので、相対する２片の弾性挟持片８１間にレリースワイヤの操作部２１を側面押込み装填すれば、簡単且つ容易に装着することができる。
そして、装填された操作部２１は、操作部２１及び弾性挟持片８に軸方向の動きを規制する手段部である鍔部２２及びスナップフィット部８２が形成されているので、操作釦４に対しての確実且つ正確な支持部８への装着をすることができる。
【符号の説明】
【００１９】      １      オーバーフロー管
２      レリースワイヤ
２１    操作部
２２    鍔部
３      オーバーフロー口
４      操作釦
５      エルボ
５１    ネジ座部
６      ボタンフランジ
６０    ボタンフランジ
６１    フランジ
６２    筒部
６３    内フランジ
７      水槽壁
８      支持部
８０    筒形状体
８０１  切欠部
８１    弾性挟持片
８２    スナップフィット部
９      パッキン
【図１】
2011174346.tif 000003
【図２】
2011174346.tif 000004
【図３】
2011174346.tif 000005
【図４】
2011174346.tif 000006
【図５】
2011174346.tif 000007
【図６】
2011174346.tif 000008
【図７】
2011174346.tif 000009
【図８】
2011174346.tif 000010
【図９】
2011174346.tif 000011
【図１０】
2011174346.tif 000012
【図１１】
2011174346.tif 000013